(57)【要約】【課題】入力切換直後は大音量にはならないがしばらくすると大音量に設定されて不快感が生じ、また、入力切換後の音量をユーザはいちいち覚えているとは限らないので、結局入力切換をしてから音量を調整する必要があるという問題点があった。【解決手段】本発明は、入力ソースの切換え前に、現在視聴中の入力ソース以外の入力ソースの音量をＯＳＤ表示により調整することを可能にして、入力切換後の急激な音量変化をおさえることを特徴とする。【選択図】図２
2007288706.tif 000002
【特許請求の範囲】
【請求項１】
複数の音声入力ソースから所望の入力ソースを選択して再生するＡＶ装置の音量調整方法において、
前記入力ソースの切換前に、視聴中の入力ソース以外の入力ソースの音量をＯＳＤ表示により調整することを特徴とする音量調整方法。
【請求項２】
請求項１に記載の音量調整方法において、
前記入力ソースは、複数のチューナ及び／又は複数の外部入力から構成されることを特徴とする音量調整方法。
【請求項３】
請求項１または請求項２に記載の音量調整方法において、
前記ＯＳＤ表示により前記入力ソースの切換と各入力ソースの音量設定値の変更を設定できることを特徴とする音量調整方法。
【請求項４】
請求項１ないし請求項３のいずれかに記載の音量調整方法において、
前記入力ソースの入力レベルを検出し、前記ＯＳＤ表示により、前記入力レベルと音量設定値を踏まえた音量レベルを表示することを特徴とする音量調整方法。
【請求項５】
請求項４に記載の音量調整方法において、
前記ＯＳＤ表示により表示する音量レベルはスピーカの入力端子における信号レベルを表示することを特徴とする音量調整方法。
【請求項６】
請求項４または請求項５に記載の音量調整方法において、
前記ＯＳＤ表示により前記各入力ソースの音量設定値と音量レベルを同時に表示することを特徴とする音量調整方法。
【請求項７】
請求項１ないし請求項６のいずれかに記載の音量調整方法において、
前記ＯＳＤ表示はテキスト表示又はグラフィック表示であることを特徴とする音量調整方法。
【請求項８】
請求項1ないし請求項７のいずれかに記載の音量調整方法において、
前記ＯＳＤ表示により現在視聴中の入力ソースの音量設定値と選択切り替え後の入力ソースの音量設定値が同一の場合で、かつ双方の音量レベル値の差が所望のレベル値以上異なる場合は、切り替え後の入力ソースの音量レベルを切り替え前のスピーカ入力端子における信号レベルと略同一の音量レベルにして再生することを特徴とする音量調整方法。
【発明の詳細な説明】
【技術分野】
【０００１】
本発明は音量調整方法に関する。
【背景技術】
【０００２】
最近のテレビジョン装置では、アナログチューナ、デジタルチューナ、外部入力端子等の複数の入力ソースを切り換えることができ、入力ソースごとに音量を調整することが可能である。
【０００３】
特許文献１には、入力切換時に音声信号の音声出力を一定時間無音から段階的に音声レベルを高めて本来の入力レベルに到達するように制御する技術が記載されている。また、特許文献２には、入力端子ごとに音量を記憶する手段を持たせ、入力切換操作直後に一旦記憶している音量よりも若干小さい音量を出力し、その後徐々に記憶している音量に上げていく技術が記載されている。
【特許文献１】特開平１１−２９８８０７号公報
【特許文献２】特開２００５−２４４６８４号公報
【発明の開示】
【発明が解決しようとする課題】
【０００４】
しかしながら、入力切換後に無音または小さい音量から段階的に音量レベルが大きくなるが、入力切換先のソースの音量設定値が大きかった場合にはその設定値まで音量は大きくなるので、入力切換直後は大音量にはならないがしばらくすると大音量に設定されて不快感が生じる問題点や、入力切換後の音量をユーザはいちいち覚えているとは限らないので、結局入力切換をしてから音量を調整する必要があるという問題点があった。
【課題を解決するための手段】
【０００５】
本発明は、入力ソースの切換え前に、現在視聴中の入力ソース以外の入力ソースの音量をＯＳＤ表示により調整することを可能にして、入力切換後の急激な音量変化をおさえることを特徴とする。
【発明の効果】
【０００６】
本発明によれば、実際に入力切換前に音量調整できるので、入力切換後の音量変化による不快感や違和感をなくすことができる。また、各入力ソースの音量設定値をいちいち入力切換することなく確認でき、入力切換による急激な音量変化を抑えることができ、入力切換後の自動音量調整が不要となる。
【発明を実施するための最良の形態】
【０００７】
以下、図面を用いて、本発明の実施の形態について説明する。
【実施例１】
【０００８】
図１は、本発明の実施例１のテレビシステムブロック図である。図１において、１はアナログ放送用、デジタル放送（ＢＳ，ＣＳ、地上デジタル，デジタルＣＡＴＶ放送等）の多チューナを示し、２は複数の外部入力を示している。３はＡＶセレクタ、４は映像信号処理部、５は表示装置（ＬＣＤ，ＰＤＰ等）、６は音声信号処理部、７はスピーカ、８はＯＳＤ（On Screen Display）表示部、９はマイコンを示す。
【０００９】
図１において、チューナ１，２，・・・ｎ、あるいは、外部入力１，２，・・・ｎからの入力信号は、ＡＶセレクタ３で選択され、映像信号は、映像信号処理部４で処理されて表示装置（ＬＣＤ，ＰＤＰ等）５に出力され、音声信号は、音声信号処理部６で処理されてスピーカ７に出力される。映像信号処理部４にはＯＳＤ表示部８が設けられ、マイコン９の制御のもとで、表示装置５の画面上に各種設定画面を表示して、テレビシステムの動作条件の設定を行う。
【００１０】
図２は、本発明の実施例１の音声調整方法の操作手順を示すフローチャートである。図２では、ステップＳ１で音声調整手順が開始されると、まず、ステップＳ２で入力切換メニューを表示する。次に、ステップＳ３において、カーソルキーの押下があったか否かが判定される。カーソルキーが押下された場合（Ｙ）には、ステップＳ４に移行し、カーソルを移動し指定ソースを変更する。指定ソースの変更後は、ステップＳ３に戻る。
【００１１】
ステップＳ３において、カーソルキーが押下されない場合（Ｎ）には、ステップＳ５において、音量キーの押下があったか否かが判定される。音量キーが押下された場合（Ｙ）には、ステップＳ６において、音量設定値の表示中であるか否かが判定される。音量設定値の表示中（Ｙ）の場合には、ステップＳ７において、指定ソースの音量調整が行われ、音量設定値の表示中でない（Ｎ）の場合には、ステップＳ８において、各ソースの音量設定値表示が行われる。ステップＳ７またはステップＳ８の終了後は、ステップＳ３に戻る。
【００１２】
ステップＳ５において、音量キーが押下されない場合（Ｎ）には、ステップＳ９において、決定キーの押下または一定時間経過があったか否かが判定される。決定キーの押下または一定時間経過がない（Ｎ）場合には、ステップＳ３に戻り、決定キーの押下または一定時間経過があった（Ｙ）場合には、ステップＳ１０に移行し、ステップＳ１０において、指定ソースに入力切換を行ってステップＳ１１で処理手順を終了する。
【００１３】
図６は、図２のフローチャートに対応した表示画面である。図６の表示例は、図２のフローチャートのステップＳ２→ステップＳ３→ステップＳ５→ステップＳ６→ステップＳ８→ステップＳ３→ステップＳ４→ステップＳ３→ステップＳ５→ステップＳ６→ステップＳ７に対応する。
【００１４】
図６において、（１）テレビ視聴中に入力切換メニュー５１を表示し、（２）音量キーを押すと、各ソースの現在設定中の音量５２が表示される。次に、（３）カーソルを押下げ、移動して指定ソースを入力１に変更する。（４）音量キーにて音量を下げると、入力１の音量設定値５３が、例えば、４０から３９へ変化する。
【００１５】
図６においては、入力切換メニューで切換先の入力ソースが選択できる場合に、切換先の入力ソースにカーソルを合わせたときに音量キーを押すことにより、入力切換前にその入力ソースの音量を設定することができる。
【実施例２】
【００１６】
図７は、音量調整中（音量バー表示中）に入力切換キーを押す他の実施例を示す。
入力切換メニューで選択するのではなく入力切換キーでトグルして入力切換する場合には、テレビメニューの中に各入力ソースの音量を調整できる項目を設定したり、音量調整中（音量バー表示中）に入力切換キーを押すことで入力切換せずに音量調整する入力ソースをトグルして選択できるようにする。
【００１７】
図７において、（１）テレビ視聴中に音量キーを押すと、音量バー６１の長さが変化し、音量設定値６２の数値が変化して、音量を設定することができる。音量設定値６２の上部には、この音量設定に対応した入力ソース表示６３（テレビ）が表示されている。（２）入力切換キーを押すと、入力ソース表示６３が変更され、入力１と表示される。（３）次に、音量キーにて音量を下げると、入力１の音量設定を変更できる。
【００１８】
上記の対応により入力切換先の音量設定値がユーザに対して明確になる。また入力切換先の音量設定値が現在視聴中のソースの音量設定値と比較して差が大きい場合には入力切換後の音量変化量が大きくなることが一目で分かり、実際の入力切換後の音量変化で不快感が生じる。そのため入力切換前に現在視聴中のソースの音量設定値と入力切換先のソースの音量設定値をほぼ同等に設定することにより、急激な音量変化による不快感を解消することができる。
【実施例３】
【００１９】
図３は、本発明の実施例２の音声制御部詳細ブロック図を示す。最近はＨＤＭＩ（High-Definition Multimedia Interface）のように音声がデジタル信号で入力されるようになってきており、アナログ音声と入力レベルで差がある場合があるので、音量設定値が同一でも実際の出力レベルには差がある場合がある。そこで各入力ソースの音量入力レベルも踏まえて、入力切換先の音量調整も可能である。
【００２０】
図３において、２１はアナログ放送用、デジタル放送（ＢＳ，ＣＳ、地上デジタル，デジタルＣＡＴＶ放送等）の多チューナを示し、２２は複数の外部入力を示している。２３はセレクタ、２４はＡＤＣ（Analog Digital Converter）、２５はＨＤＭＩ、２６はセレクタ、２７は音声ＤＳＰ（Digital Signal Processor)、２８はＤＡＣ（Digital Analog Converter）、２９は音声アンプ、３０はスピ−カ、３１はメモリを示す。
【００２１】
図３において、チューナ２１（１・・・ｎ）あるいは、外部入力２２（１，・・・ｎ）からの入力信号は、セレクタ２３で選択され、ＡＤＣ２４でデジタル信号に変換される。ＡＤＣ２４でデジタル信号に変換される信号とＨＤＭＩ２５からのデジタル信号は、セレクタ２６で選択され、音声ＤＳＰ処理部で処理された後、ＤＡＣ２８でアナログ信号に変換され、音声アンプ２９で増幅されて、スピーカ３０に出力される。
【００２２】
図３のように複数の入力ソースがある場合に、各入力ソースを視聴中に音声ＤＳＰ処理部で入力レベルの検出をしてメモリに保存しておき、図４のように入力レベルと音量設定値を踏まえた音量レベルをバー表示するなどして実際に出力される音量差を判断でき、入力切換前に音量調整が可能となる。
【００２３】
図４は、本発明の実施例３の音量バー付き入力切換メニューを示す。図４において、入力切換メニュー表示４１には、入力ソース毎に、音量設定値４２と、入力レベルと音量設定値を踏まえた音量レベル４３が表示される。音量設定値４２が同じでも各ソース入力の入力レベルが異なると、実際の出力レベルが異なる場合があるが、本実施例では、入力レベルと音量設定値を踏まえた音量レベル４３を表示することにより、この音量レベル４３を同等に設定して、入力ソースの切換え時の急激な音量変化を更に少なくなるようにすることができる。
【００２４】
図５は、図４の音量バー付き入力切換メニューでの音量レベルの調整を説明する図面である。例えば、テレビ  Ｖｏｌ：２０から切り替えてＨＤＭＩ  Ｖｏｌ：２０にて再生する場合、音量設定値はそれぞれＶｏｌ：２０で同じであるが、実際にスピーカから聞こえる音量には所定の音量レベル差があることになるので違和感が発生する。
この違和感を解消するために、図５に示すように、テレビの音量レベル（音声アンプの出力レベル）とＨＤＭＩの音量レベルとの差が２０％以上あるとすると、違和感が大きいと判断して、切り替え中に音声ＤＳＰ処理部を制御して、音量バーの表示を略同一になるように制御して出力する。切り替え直後には、テレビとＨＤＭＩの音量バーは略同一となる。
【図面の簡単な説明】
【００２５】
【図１】図１は、本発明の実施例１のテレビシステムブロック図である。
【図２】図２は、本発明の実施例１のフローチャートである。
【図３】図３は、本発明の実施例２の音声制御部詳細ブロック図である。
【図４】図４は、本発明の実施例３の音量バー入力切換メニューを示す図である。
【図５】図５は、図４の音量バー入力切換メニューにおいて音量レベルの調整を示す図である。
【図６】図６は、本発明のフローチャートに対応した表示画面である。
【図７】図７は、本発明の他のフローチャートに対応した表示画面である。
【符号の説明】
【００２６】
１    チューナ
２    外部入力
３    ＡＶセレクタ
４    映像信号処理部
５    表示装置
６    音声信号処理部
７    スピーカ
８    ＯＳＤ表示部
９    マイコン
２１    チューナ
２２    外部入力
２３    セレクタ
２４    ＡＤＣ
２５    ＨＤＭＩ
２６    セレクタ
２７    音声ＤＳＰ
２８    ＤＡＣ
２９    音声アンプ
３０    スピ−カ
３１    メモリ
４１    入力切換メニュー表示
４２    音量設定値
４３    音量レベル４３
５１    入力切換メニュー
５２    現在設定中の音量
５３    入力１の音量設定値
６１    音量バー
６２    音量設定値６２
６３    入力ソース表示
【図１】
2007288706.tif 000003
【図２】
2007288706.tif 000004
【図３】
2007288706.tif 000005
【図４】
2007288706.tif 000006
【図５】
2007288706.tif 000007
【図６】
2007288706.tif 000008
【図７】
2007288706.tif 000009